(57)【要約】【課題】異常時に備えてバックアップしていたＰＶＣ情報、ＬＳＰ情報などの論理パス情報をリストアする場合に確実に通信を復旧させる。【解決手段】記憶装置２０６のＰＶＣ情報のＡＴＭ局側装置１０３へのリストア処理が起動された時に、ＡＴＭ加入者装置１０１毎にＰＶＣのリンク確立状態を確認し（ステップ３０３）、確認結果が「確立状態」である場合にはリストアすることなくそのままステップ３０５に進み、他方、「確立状態」でない場合には、記憶装置にバックアップされたＰＶＣ情報を取得して、当該ＡＴＭ加入者装置に対応するＡＴＭセル交換部２０３に設定する（ステップ３０４）。エッジルータ１０７ａ、１０７ｂ、ＬＳＲ１０８がＭＰＬＳ網においてＬＳＰを確立するためのＬＳＰ情報も同様にリストアする。【選択図】　　　　図３
2004080251.tif 000002
【特許請求の範囲】
【請求項１】
論理パス情報を設定して第１の記憶手段にストアし、前記第１の記憶手段にストアされた論理パス情報に基づいて論理パスを設定するとともに、前記第１の記憶手段にストアされた論理パス情報を異常時に備えてバックアップして第２の記憶手段にストアする論理パス情報の復旧方法であって、
前記第２の記憶手段にバックアップされた論理パス情報を異常時に前記第１の記憶手段にリストアして通信を復旧させる際に論理パス情報毎にそのリンク状態を確認するステップと、
リンクが確立している場合にはリストアせず、リンクが確立していない場合にのみリストアするステップとを、
有する論理パス情報の復旧方法。
【請求項２】
論理パス情報を設定して第１の記憶手段にストアし、前記第１の記憶手段にストアされた論理パス情報に基づいて論理パスを設定する論理パス設定手段と、
前記第１の記憶手段にストアされた論理パス情報を異常時に備えてバックアップして第２の記憶手段にストアする手段と、
前記第２の記憶手段にバックアップされた論理パス情報を異常時に前記第１の記憶手段にリストアして通信を復旧させる際に論理パス情報毎にそのリンク状態を確認し、リンクが確立している場合にはリストアせず、リンクが確立していない場合にのみリストアする手段とを、
有する論理パス情報の復旧装置。
【請求項３】
前記論理パス情報をリストアした後に、論理パス情報毎にそのリンク状態を再確認し、リンクが確立していない論理パス情報に対して新たな論理パス情報を導出して前記第１の記憶手段にリストアするよう構成した請求項２に記載の論理パス情報の復旧装置。
【請求項４】
請求項２又は３に記載の論理パス情報の復旧装置において、リンクが確立しているために論理パス情報をリストアしなかった場合に、前記第２の記憶手段にバックアップされている論理パス情報を削除し、前記第１の記憶手段にストアされている論理パス情報を前記第２の記憶手段にストアするよう構成した論理パス情報の復旧装置。
【請求項５】
リセット時又は電源投入時には、前記第１の記憶手段に論理パス情報が存在しない場合には、無条件に前記第２の記憶手段にバックアップされた論理パス情報を前記第１の記憶手段にリストアするよう構成した請求項２から４のいずれか１つに記載の論理パス情報の復旧装置。
【請求項６】
前記論理パス情報は、ＡＴＭ局側装置が各ＡＴＭ加入者装置とＡＴＭ網との間のセル交換を行うためのＰＶＣ情報であることを特徴とする請求項２から５のいずれか１つに記載の論理パス情報の復旧装置。
【請求項７】
前記論理パス情報は、エッジルータ、ＬＳＲがＭＰＬＳ網においてＬＳＰを確立するためのＬＳＰ情報であることを特徴とする請求項２から５のいずれか１つに記載の論理パス情報の復旧装置。
【請求項８】
論理パス情報を設定して第１の記憶手段にストアし、前記第１の記憶手段にストアされた論理パス情報に基づいて論理パスを設定するとともに、前記第１の記憶手段にストアされた論理パス情報を異常時に備えてバックアップして第２の記憶手段にストアする通信装置におけるコンピュータプログラムであって、
前記第２の記憶手段にバックアップされた論理パス情報を前記第１の記憶手段にリストアして通信を復旧させる際に論理パス情報毎にそのリンク状態を確認するステップと、
リンクが確立している場合にはリストアせず、リンクが確立していない場合にのみリストアするステップとを、
有するコンピュータプログラム。
【発明の詳細な説明】
【０００１】
【発明の属する技術分野】
本発明は、異常時に備えてバックアップしていた論理パス情報をリストアして通信を復旧させる論理パス情報の復旧方法及び装置並びにコンピュータプログラムに関する。
本発明は、特に加入者に高速・大容量の通信サービスを提供する非同期転送（ＡＴＭ）モードを用いてポイント・マルチポイント型で双方向通信を行う伝送システムのＡＴＭ局側装置において、異常時に備えてバックアップしていたＰＶＣ（Ｐｅｒｍａｎｅｎｔ　Ｖｉｒｔｕａｌ　Ｃｈａｎｎｅｌ）情報をリストアする場合に好適な論理パス情報の復旧方法及び装置並びにコンピュータプログラムに関する。
また本発明は、特に加入者に高速・大容量の通信サービスを提供するＭＰＬＳ（Ｍｕｌｔｉ　Ｐｒｏｔｏｃｏｌ　Ｌａｂｅｌ　Ｓｗｉｔｃｈｉｎｇ）網のエッジルータやＬＳＲ（Ｌａｂｅｌ　Ｓｗｉｔｃｈｉｎｇ　Ｒｏｕｔｅｒ）において、異常時に備えてバックアップしていたＬＳＰ（Ｌａｂｅｌ　ｓｗｉｔｃｈｉｎｇ　Ｐａｔｈ）情報をリストアする場合に好適な論理パス情報の復旧方法及び装置並びにコンピュータプログラムに関する。
【０００２】
【従来の技術】
この種の従来例として、例えば特開平１０−１６４０７９号公報では、ＡＴＭノード内のＰＶＣ情報記録部へ、網管理システムより設定されたＰＶＣを記憶しておくことにより、ＡＴＭノードの異常時において、網管理システムからの再設定なしに、ＡＴＭノードの情報記録部のＰＶＣ情報記録部からＰＶＣ設定を読み出し、ＡＴＭノードの運用再開を可能としている。このように、従来の技術においてもＡＴＭノードの異常時におけるＡＴＭノード再起動時の自動復旧が可能となっている。
【０００３】
【発明が解決しようとする課題】
しかしながら、上記従来例においては、ＰＶＣ情報などの論理パス情報をシステム監視装置から固定的に設定することが条件となっているので、以下のような問題点がある。
（１）ＡＴＭ加入者装置からＡＴＭ局側装置間の通信路を２以上のＡＴＭ加入者装置で共有するようなシステム構成において、悪意を持ったユーザによるＰＶＣ情報の偽装接続を防止するために、ＡＴＭ加入者装置とＡＴＭ局側装置間において、所定の契機においてＰＶＣ情報を新たに導出して接続を行う対策を取るシステムでは、ＰＶＣ情報を導出するとともに記憶装置にバックアップされているＰＶＣ情報の更新を行う必要がある。
【０００４】
しかしながら、ＡＴＭ局側装置の異常時において、過去にバックアップしたＰＶＣ情報の強制的なリストア、又はＡＴＭ加入者装置とＡＴＭ局側装置間において導出したＰＶＣ情報を記憶装置にバックアップできなかった場合、記憶装置にバックアップされているＰＶＣ情報を単にＡＴＭ局側装置にリストアするだけでは、ＡＴＭ局側装置が導出し設定したＰＶＣ情報と、ＡＴＭ加入者装置に設定されたＰＶＣ情報とが異なってしまう場合があり、ＰＶＣを復旧させることができないという問題点があった。
【０００５】
（２）また、ＭＰＬＳ網におけるエッジルータやＬＳＲのように、シグナリングプロトコルを用いて動的に経路、論理パスとしてのＬＳＰを確立するようなシステムでは、ＬＳＰ情報を導出するとともに記憶装置にバックアップされるＬＳＰ情報の更新を行う必要がある。しかしながら、エッジルータやＬＳＲの異常時において、過去にバックアップしたＬＳＰ情報の強制的なリストア、又はエッジルータやＬＳＲにおいて導出したＬＳＰ情報を記憶装置にバックアップできなかった場合、記憶装置にバックアップされたＬＳＰ情報を単にエッジルータやＬＳＲにリストアするだけでは、エッジルータやＬＳＲが導出し設定し、確立しているＬＳＰに対しては、リストアしたＬＳＰ情報が古く、ＬＳＰが切断されてしまう場合があり、保守者において異常ＬＳＰを特定し、異常ＬＳＰに対する情報のみをリストアしなければならないという問題点があった。
【０００６】
本発明は、このような事情を考慮してなされたもので、その目的とするところは、異常時に備えてバックアップしていたＰＶＣ情報、ＬＳＰ情報などの論理パス情報をリストアする場合に確実に通信を復旧させることができる論理パス情報の復旧方法及び装置並びにコンピュータプログラムを提供することにある。
【０００７】
【課題を解決するための手段】
請求項１、２にそれぞれ記載の発明の論理パス情報の復旧方法及び装置並びに請求項８に記載の発明のコンピュータプログラムは、
バックアップされた論理パス情報をリストアして通信を復旧させる際に論理パス情報毎にそのリンク状態を確認して、リンクが確立している場合にはリストアせず、リンクが確立していない場合にのみリストアするように構成した。
【０００８】
上記構成により、セキュリティ対策として所定の契機でＰＶＣの導出を行うＡＴＭシステムにおいても、ＡＴＭ局側装置の異常時に、システム管理者が異常ＰＶＣを特定することなく記憶装置上にバックアップされた全ＰＶＣ情報のリストア指示を行った場合、正常な通信を行っているＰＶＣに対して切断又は瞬断などの影響を与えることなく、ＡＴＭシステム全体の復旧を行うことができ、システムの保守作業を容易にすることが可能となる。
また、シグナリングプロトコルによって動的にＬＳＰの導出を行うＭＰＬＳ網においても、エッジルータやＬＳＲの異常時に、システム管理者が異常ＬＳＰを特定することなく記憶装置上にバックアップされた全ＬＳＰ情報のリストア指示を行うことによって、正常な通信を行っているＬＳＰに対して切断または瞬断などの影響を与えることなく、ＭＰＬＳシステム全体の復旧を行うことができ、システムの保守作業を容易にすることが可能となる。また、エッジルータやＬＳＲのリセット時または電源投入時においても、自動的にＬＳＰを復旧させることが可能となる。
【０００９】
請求項３に記載の発明は、請求項２に記載の論理パス情報の復旧装置において、
前記論理パス情報をリストアした後に、論理パス情報毎にそのリンク状態を再確認し、リンクが確立していない論理パス情報に対して新たな論理パス情報を導出して前記第１の記憶手段にリストアするよう構成した。
【００１０】
上記構成により、ＡＴＭ局側装置にリストアしたＰＶＣ情報が、当該ＡＴＭ加入者装置に設定されている既導出ＰＶＣ情報と異なっていた場合においても、次の導出契機を待たずにＰＶＣ情報を強制的に導出することによって、ＰＶＣを復旧させることが可能となる。また、セキュリティ対策としてＰＶＣの導出を行ったＡＴＭシステムにおいても、保守者の手を介さず自動的に通信を復旧させることが可能となる。
【００１１】
請求項４に記載の発明は、請求項２又は３に記載の論理パス情報の復旧装置において、リンクが確立しているために論理パス情報をリストアしなかった場合に、前記第２の記憶手段にバックアップされている論理パス情報を削除し、前記第１の記憶手段にストアされている論理パス情報を前記第２の記憶手段にストアするよう構成した。
【００１２】
上記構成により、ＡＴＭ加入者装置に設定されているＰＶＣ情報と、ＡＴＭ局側装置に設定されたＰＶＣ情報が異なる場合においても、記憶装置上にバックアップされるＰＶＣ情報を現在通信状態であるＰＶＣ情報に自動的に更新するので、保守者の手を介さず自動的に記憶装置上にバックアップされるＰＶＣ情報を最新の値とすることが可能となる。
また、記憶装置にバックアップされたＬＳＰ情報をリストアしないＬＳＰに対し、記憶装置上にバックアップされるＬＳＰ情報を現在通信状態であるＬＳＰ情報に自動的に更新することにより、保守者の手を介さず自動的に記憶装置上にバックアップされるＬＳＰ情報を最新の値とすることが可能となる。
【００１３】
請求項５に記載の発明は、請求項２から４のいずれか１つに記載の論理パス情報の復旧装置において、
リセット時又は電源投入時には、前記第１の記憶手段に論理パス情報が存在しない場合には、無条件に前記第２の記憶手段にバックアップされた論理パス情報を前記第１の記憶手段にリストアするよう構成した。
【００１４】
上記構成により、ＡＴＭ局側装置のリセット時又は電源投入時には、各ＡＴＭ加入者装置に対するＰＶＣの確立状態を確認することなく、記憶装置上にバックアップされたＰＶＣ情報をリストアするので、起動処理時間を短縮し、通信復旧までの時間を短縮することが可能となる。
また、エッジルータやＬＳＲのリセット時または電源投入時には、各ＬＳＰ加入者装置に対するＬＳＰのリンク確立状態を確認することなく、記憶装置上にバックアップされたＬＳＰ情報をリストアするので、起動処理時間を短縮し、通信復旧までの時間を短縮することが可能となる。
【００１５】
【発明の実施の形態】
＜第１の実施の形態＞
以下、図面を参照して本発明の実施の形態について説明する。図１は本発明に係るＡＴＭ交換システムの一実施の形態を示すブロック図、図２は図１のＡＴＭ局側装置の構成を詳しく示すブロック図、図３は図１、図２のＡＴＭ局側装置のＰＶＣ復旧処理を説明するためのフローチャートである。
【００１６】
図１において、ＡＴＭ加入者装置１０１はユーザの通信装置１０２を収容し、ＡＴＭ局側装置１０３は２台以上からなるＡＴＭ加入者装置１０１を分岐装置１０４を介して接続し、ＡＴＭ網１０５と各ＡＴＭ加入者装置１０１間のＡＴＭセルの転送・廃棄を行う。また、ＡＴＭ局側装置１０３にはシステム監視装置１０６が接続され、システム監視装置１０６はＡＴＭ局側装置１０３に対し、ＡＴＭ加入者装置１０１のＰＶＣとＡＴＭ網１０５のＰＶＣの設定、接続及び切断指示を行う。
【００１７】
図２は、ＡＴＭ局側装置１０３の機能ブロック図を示す。システム監視装置インタフェース２０１は、システム監視装置１０６とのインタフェースを行い、システム監視装置１０６から受信した指示内容をＰＶＣ制御部２０２に通知する。ＰＶＣ制御部２０２では、システム監視装置１０６からの指示に従い、接続指示時には加入者側インタフェース２０４を通じて、あらかじめ所定のＰＶＣ情報によって各ＡＴＭ加入者装置１０１との間に固定的に接続されている制御用ＰＶＣを通じて、ＡＴＭ加入者装置１０１との間でＰＶＣ情報を導出し、導出したＰＶＣ情報をＡＴＭセル交換部２０３に設定する。
【００１８】
一方、ＡＴＭ加入者装置１０１では、導出したＰＶＣ情報を自装置であるＡＴＭ加入者装置１０１に設定し、ＡＴＭ加入者装置１０１とＡＴＭ局側装置１０３間のＰＶＣ情報が同値となることによって、ＡＴＭ加入者装置１０１とＡＴＭ局側装置１０３間にＰＶＣが接続され、ＡＴＭセル交換部２０３は網側インタフェース２０５を介してＡＴＭ網１０５とのセル交換を開始する。また、導出したＰＶＣ情報を異常時に備えて記憶装置２０６にバックアップする。
【００１９】
なお、ＡＴＭ網１０５側のＰＶＣ情報は、システム監視装置１０６から固定的に設定され、ＰＶＣ制御部２０２がＡＴＭセル交換部２０３に設定するとともに、記憶装置２０６にバックアップする。一方、切断指示時には制御用ＰＶＣを通じて、当該ＡＴＭ加入者装置１０１へのＰＶＣ情報削除指示を行うとともに、ＡＴＭセル交換部２０３の当該ＡＴＭ加入者装置１０１に対するＰＶＣ情報を削除し、記憶装置２０６上にバックアップされた当該ＰＶＣ情報を削除する。
【００２０】
図３は、本発明のフローチャートを示す。保守者によるシステム監視装置１０６からの復旧指示又はＡＴＭ局側装置１０３のリセット又は電源投入による自動的な制御によって、記憶装置２０６のＰＶＣ情報のＡＴＭ局側装置１０３へのリストア処理が起動された時に、システム監視装置１０６からのリストア指示であるか、リセット又は電源投入による初期起動であるかを判定する（ステップ３０１）。判定結果が初期起動である場合には、記憶装置２０６にバックアップされた全てのＰＶＣ情報を無条件にＡＴＭセル交換部２０３へリストアし（ステップ３０１→３０２）、次いでステップ３０６以降の処理を行う。
【００２１】
一方、ステップ３０１において初期起動でないと判断した場合には、ＡＴＭ加入者装置１０１毎にＰＶＣ（図では単にＶＣとして示す）のリンク確立状態を確認し（ステップ３０３）、確認結果が「確立状態」である場合にはリストアすることなくそのままステップ３０５に進み、他方、「確立状態」でない場合には、記憶装置２０６にバックアップされたＰＶＣ情報を取得して、当該ＡＴＭ加入者装置１０１に対応するＡＴＭセル交換部２０３に設定し（ステップ３０４）、次いでステップ３０５に進む。ステップ３０５では、全てのＡＴＭ加入者装置１０１に対する処理が完了したかどうかを判定し、全てのＡＴＭ加入者装置１０１に対して処理が完了するまでステップ３０３〜３０４の処理を繰り返す。
【００２２】
次に、ＡＴＭ加入者装置１０１毎にＰＶＣのリンク確立状態を再度確認する　（ステップ３０６）。確認結果が「確立」である場合にはそのままステップ３０８に進み、他方、確認結果が「未確立」であった場合には、当該ＡＴＭ加入者装置１０１に対してＰＶＣ情報の導出を行い、導出したＰＶＣ情報をＡＴＭセル交換部２０３の当該ＡＴＭ加入者装置１０１に対して設定する（ステップ３０７）。これにより、ＡＴＭ加入者装置１０１とＡＴＭ局側装置１０３のＰＶＣ情報が異なったままとなり、次のＰＶＣ導出契機までＰＶＣが切断されたままとなることを防ぐ。次に、全てのＡＴＭ加入者装置１０１に対する処理が完了したかどうかを判定し（ステップ３０８）、全てのＡＴＭ加入者装置１０１に対して処理が完了するまでステップ３０６〜３０７の処理を繰り返す。
【００２３】
次に、記憶装置２０６にバックアップされた全てのＰＶＣ情報と、該当するＡＴＭ加入者装置１０１に対するＡＴＭセル交換部２０３のＰＶＣ情報が同値であるかどうかを判定し（ステップ３０９）、判定結果が異なる場合には、当該ＡＴＭ加入者装置１０１に対するＰＶＣ情報を記憶装置２０６にバックアップし（ステップ３１０）、次いで処理終了（ステップ３１１）となる。判定結果が同値である場合には、そのまま処理終了（ステップ３１１）となる。
【００２４】
＜第２の実施の形態＞
図４は本発明の第２の実施の形態のシステム構成を示す。図４において、エッジルータ１０７ａ、１０７ｂはそれぞれ通信端末１０２ａ、１０２ｂを収容し、ＬＳＲ１０８はエッジルータ１０７ａ、１０７ｂ間に設置され、ＭＰＬＳパケットの中継転送を行う。なお、ＬＳＲは、エッジルータ間に複数台設置する構成を取ることも可能である。また、エッジルータ１０７ａ、１０７ｂ、ＬＳＲ１０８にはシステム監視装置１０６ａが接続され、システム監視装置１０６ａはエッジルータ１０７ａ、１０７ｂ、ＬＳＲ１０８の制御、監視を行う。
【００２５】
図５はエッジルータ１０７（１０７ａ、１０７ｂ）の、また、図６はＬＳＲ１０８の機能ブロック図を示す。図５において、システム監視装置インタフェース２０１ａは、システム監視装置１０６ａとのインタフェースを行い、システム監視装置１０６ａから受信した指示内容をＬＳＰ制御部２０２ａに通知する。ＬＳＰ制御部２０２ａでは、通信端末１０２（１０２ａ、１０２ｂ）からの接続または切断要求に従い、シグナリングプロトコルを用いたＬＳＰ確立または切断制御を行うとともに、導出したＬＳＰ情報を異常時に備えて記憶装置２０６ａにバックアップする。また、異常時にはシステム監視装置１０６ａからの制御に従い、記憶装置２０６ａにバックアップしたＬＳＰ情報のＭＰＬＳパケット変換部２０３ａにリストアする。
【００２６】
ＭＰＬＳパケット変換部２０３ａは、通信端末１０２を接続する通信端末インタフェース２０４ａから受信したパケットに対しＭＰＬＳラベルを付加し、網側インタフェース２０５ａ側に出力する。また、網側インタフェース２０５ａから受信したＭＰＬＳパケットからラベルを削除し、通信端末インタフェース２０４ａ側に出力を行う。通信端末インタフェース２０４ａと網側インタフェース２０５ａは複数実装することが可能である。
【００２７】
図６において、システム監視装置インタフェース２０１ａは、システム監視装置１０６ａとのインタフェースを行い、システム監視装置１０６ａから受信した指示内容をＬＳＰ制御部２０２ａに通知する。ＬＳＰ制御部２０２ａでは、エッジルータ１０７からのシグナリングプロトコルを受信し、ＬＳＰ確立または切断制御を行うとともに、導出したＬＳＰ情報を記憶装置２０６ａにバックアップする。また、異常時にはシステム監視装置１０６ａからの制御に従い、記憶装置２０６ａにバックアップしたＬＳＰ情報のＭＰＬＳパケット転送部２０７にリストアする。ＭＰＬＳパケット転送部２０７は、網側インタフェース２０５ａａ、２０５ｂａのいずれかから受信したＭＰＬＳパケットをラベル値に従って、該当する網側インタフェース２０５ａ（２０５ａａ、２０５ｂａ）に出力する。網側インタフェース２０５ａは複数実装することが可能である。
【００２８】
図７は第２の実施の形態におけるエッジルータ１０７、ＬＳＲ１０８の処理を示す。まず、第１の実施の形態と同様に、保守者によるシステム監視装置１０６ａからの復旧指示、又はエッジルータ１０７、ＬＳＲ１０８のリセット又は電源投入による自動的な制御によって、記憶装置２０６ａのＬＳＰ情報のエッジルータ１０７、ＬＳＲ１０８のリストア処理が起動された時に、システム監視装置１０６ａからのリストア指示であるか、リセットまたは電源投入による初期起動であるかを判定する（ステップ３０１ａ）。判定結果が初期起動である場合には、記憶装置２０６ａにバックアップされた全てのＬＳＰ情報を無条件にＭＰＬＳパケット変換部２０３ａ、ＭＰＬＳパケット転送部２０７へリストアし（ステップ３０１ａ→３０２ａ）、次いでステップ３０９ａ以降の処理を行う。
【００２９】
一方、ステップ３０１ａにおいて初期起動でないと判断した場合には、ＬＳＰ毎にリンク確立状態を確認し（ステップ３０３ａ）、確認結果が「確立状態」である場合にはリストアすることなくステップ３０５ａに進む。他方、ステップ３０３ａにおいて「確立状態」でない場合には、記憶装置２０６ａにバックアップされたＬＳＰ情報を取得し、当該ＬＳＰに対応するＭＰＬＳパケット変換部２０３ａ、ＭＰＬＳパケット転送部２０７に設定する（ステップ３０４ａ）。次に、全てのＬＳＰに対する処理が完了したかどうかを判定し（ステップ３０５ａ）、全てのＬＳＰ加入者装置に対して処理が完了するまでステップ３０３ａ、３０４ａの処理を繰り返す。
【００３０】
次に、記憶装置２０６ａにバックアップされた全てのＬＳＰ情報と、ＭＰＬＳパケット変換部２０３ａ、ＭＰＬＳパケット転送部２０７に設定されたＬＳＰ情報が同値であるかどうかを判定し（ステップ３０９ａ）、判定結果が異なる場合には、当該ＬＳＰ情報を記憶装置２０６ａにバックアップし（ステップ３１０ａ）、次いで処理終了（ステップ３１１ａ）となる。判定結果が同値である場合にはそのまま処理終了（ステップ３１１ａ）となる。
【００３１】
【発明の効果】
以上説明したように請求項１、２、６〜８記載の発明によれば、セキュリティ対策として所定の契機でＰＶＣの導出を行うＡＴＭシステムにおいても、ＡＴＭ局側装置の異常時に、システム管理者が異常ＰＶＣを特定することなく記憶装置上にバックアップされた全ＰＶＣ情報のリストア指示を行った場合、正常な通信を行っているＰＶＣに対して切断又は瞬断などの影響を与えることなく、ＡＴＭシステム全体の復旧を行うことができ、システムの保守作業を容易にすることが可能となる。
また、シグナリングプロトコルによって動的にＬＳＰの導出を行うＭＰＬＳ網においても、エッジルータやＬＳＲの異常時に、システム管理者が異常ＬＳＰを特定することなく記憶装置上にバックアップされた全ＬＳＰ情報のリストア指示を行うことによって、正常な通信を行っているＬＳＰに対して切断または瞬断などの影響を与えることなく、ＭＰＬＳシステム全体の復旧を行うことができ、システムの保守作業を容易にすることが可能となる。また、エッジルータやＬＳＲのリセット時または電源投入時においても、自動的にＬＳＰを復旧させることが可能となる。
請求項３に記載の発明によれば、ＡＴＭ局側装置にリストアしたＰＶＣ情報が、当該ＡＴＭ加入者装置に設定されている既導出ＰＶＣ情報と異なっていた場合においても、次の導出契機を待たずにＰＶＣ情報を強制的に導出することによって、ＰＶＣを復旧させることが可能となる。また、セキュリティ対策としてＰＶＣの導出を行ったＡＴＭシステムにおいても、保守者の手を介さず自動的に通信を復旧させることが可能となる。
請求項４に記載の発明によれば、ＡＴＭ加入者装置に設定されているＰＶＣ情報と、ＡＴＭ局側装置に設定されたＰＶＣ情報が異なる場合においても、記憶装置上にバックアップされるＰＶＣ情報を現在通信状態であるＰＶＣ情報に自動的に更新するので、保守者の手を介さず自動的に記憶装置上にバックアップされるＰＶＣ情報を最新の値とすることが可能となる。
また、記憶装置にバックアップされたＬＳＰ情報をリストアしないＬＳＰに対し、記憶装置上にバックアップされるＬＳＰ情報を現在通信状態であるＬＳＰ情報に自動的に更新することにより、保守者の手を介さず自動的に記憶装置上にバックアップされるＬＳＰ情報を最新の値とすることが可能となる。
請求項５に記載の発明によれば、ＡＴＭ局側装置のリセット時又は電源投入時には、各ＡＴＭ加入者装置に対するＰＶＣの確立状態を確認することなく、記憶装置上にバックアップされたＰＶＣ情報をリストアするので、起動処理時間を短縮し、通信復旧までの時間を短縮することが可能となる。
また、エッジルータやＬＳＲのリセット時または電源投入時には、各ＬＳＰ加入者装置に対するＬＳＰのリンク確立状態を確認することなく、記憶装置上にバックアップされたＬＳＰ情報をリストアするので、起動処理時間を短縮し、通信復旧までの時間を短縮することが可能となる。
【図面の簡単な説明】
【図１】本発明に係る論理パス情報の復旧方法及び装置並びにコンピュータプログラムの一実施の形態としてＡＴＭ交換システムを示すブロック図
【図２】図１のＡＴＭ局側装置の構成を詳しく示すブロック図
【図３】図１、図２のＡＴＭ局側装置のＰＶＣ復旧処理を説明するためのフローチャート
【図４】本発明に係る論理パス情報の復旧方法及び装置並びにコンピュータプログラムの第２の実施の形態としてＭＰＬＳ網を示すブロック図
【図５】図４のエッジルータの構成を詳しく示すブロック図
【図６】図５のＬＳＲの構成を詳しく示すブロック図
【図７】図４のエッジルータ、ＬＳＲのＬＳＰ復旧処理を説明するためのフローチャート
【符号の説明】
１０１　ＡＴＭ加入者装置
１０２　通信装置
１０２ａ、１０２ｂ　通信端末
１０３　ＡＴＭ局側装置
１０４　分岐装置
１０５　ＡＴＭ網
１０６、１０６ａ　システム監視装置
１０７、１０７ａ、１０７ｂ　エッジルータ
１０８　ＬＳＲ（Ｌａｂｅｌ　Ｓｗｉｔｃｈｉｎｇ　Ｒｏｕｔｅｒ）
２０１、２０１ａ　システム監視装置インタフェース
２０２　ＰＶＣ制御部
２０２ａ　ＬＳＰ制御部
２０３　ＡＴＭセル交換部
２０３ａ　ＭＰＬＳパケット交換部
２０４　加入者側インタフェース
２０４ａ　通信端末インタフェース
２０５、２０５ａ、２０５ａａ、２０５ｂａ　網側インタフェース
２０６、２０６ａ　記憶装置
２０７　ＭＰＬＳパケット転送部
【図１】
2004080251.tif 000003
【図２】
2004080251.tif 000004
【図３】
2004080251.tif 000005
【図４】
2004080251.tif 000006
【図５】
2004080251.tif 000007
【図６】
2004080251.tif 000008
【図７】
2004080251.tif 000009